(57)【要約】      （修正有）【課題】介護者の労力が軽減する介護用ベッドを提供する。【解決手段】介護用ベッドは、寝台となる底板７と、底板７の上に置かれたマットレス８ａとを備える。底板７とマットレス８ａの、仰臥の姿勢で頭部を支える部分には、これらを貫通する第１の貫通穴９が設けられ、該第１の貫通穴９に洗髪用洗い桶１０又は第１のビニール袋を設置することができるようにしている。【選択図】図２
0003139950.tif 000002
【実用新案登録請求の範囲】
【請求項１】
寝台となる底板と、
前記底板の上に置かれたマットレスとを備え、
前記底板とマットレスの、仰臥の姿勢で頭部を支える部分には、これらを貫通する第１の貫通穴が設けられ、該第１の貫通穴に洗髪用洗い桶又は第１のビニール袋が設置された介護用ベッド。
【請求項２】
前記底板とマットレスの、仰臥の姿勢で肛門を中心とする辺りに、これらを貫通する第２の貫通穴が設けられ、該第２の貫通穴に便保留用桶又は第２のビニール袋が設置された請求項１に記載の介護用ベッド。
【請求項３】
前記底板とマットレスの、仰臥の姿勢で足元の辺りに、これらを貫通する第３の貫通穴が設けられ、該第３の貫通穴の下には湯を張るための桶が設けられている請求項１又は２に記載の介護用ベッド。
【請求項４】
前記第１の貫通穴が形成されるマットレスは、ブロック状の第１のマットレスブロックで形成され、
前記第１のビニール袋は、その袋本体部分が前記第１の貫通穴に嵌め込まれた状態で、その開口部のフィルム部分が前記第１のマットレスブロックを包むように外方向に、該第１のマットレスブロックの側壁まで延び、さらに延びて前記第１のマットレスブロックの底面にまで回りこんでおり、かつ輪ゴムで該第１のマットレスブロックに固定されている、請求項１〜３のいずれか１項に記載の介護用ベッド。
【請求項５】
前記第２の貫通穴が形成されるマットレスは、ブロック状の第２のマットレスブロックで形成され、
前記第２のビニール袋は、その袋本体部分が前記第２の貫通穴に嵌め込まれた状態で、その開口部のフィルム部分が前記第２のマットレスブロックを包むように外方向に、該第２のマットレスブロックの側壁まで延び、さらに延びて前記第２のマットレスブロックの底面にまで回りこんでおり、かつ輪ゴムで該第２のマットレスブロックに固定されている、請求項１〜４のいずれか１項に記載の介護用ベッド。
【請求項６】
前記第２のマットレスブロックの上方に設けられた、患者の身体に付着した汚物を洗浄除去するための温水洗浄器をさらに備える請求項１〜５のいずれか１項に記載の介護用ベッド。
【請求項７】
洗浄後の患者の身体を温風で乾燥させる温風乾燥機をさらに備える請求項６に記載の介護用ベッド。
【請求項８】
前記マットレス又はマットレスブロックは天然ゴム発泡体で形成されており、該天然ゴム発泡体は、表面から裏面にかけて泡と泡とが連続的にくっついている連立発泡構造を有する、請求項１から７いずれか１項に記載の介護用ベッド。
【考案の詳細な説明】
【技術分野】
【０００１】
本考案は一般に介護用ベッドに関するものであり、より特定的には洗髪などが容易にでき、介護者の労力が軽減されるように改良された介護用ベッドに関する。
【背景技術】
【０００２】
先に、出願人は、褥瘡の危険度が高い患者の、褥瘡予防を行うことができるように改良された介護用ベッドを得るという目的で、底板の上に設けられるマットレスを天然ゴム発泡体で形成した介護用ベッドを提案した（特許文献１参照）。
【０００３】
図７は、上記介護用ベッドの、底板１から上の部分の概念図である。この介護用ベッドの特徴は、マットレス２が天然ゴム発泡体で形成されていることである。天然ゴム発泡体は、１００％天然ラテックスフォームラバーで形成される。１００％天然ラテックスフォームラバーは、ゴム樹液を原料とする。マットレス２を天然ゴム発泡体で形成することにより、患者３の身体がマットレス２に沈み込み、体圧が矢印方向に分散される。床ずれは身体の同じ部位に長時間かかる圧迫から生じるが、これによれば、この圧迫を軽減し分散させることが可能となり、毛細血管の血液循環をよくし、身体の組織への持続圧迫をなくすることができるので、床ずれを予防することができる。
【特許文献１】特願２００６−００３７０６号
【考案の開示】
【考案が解決しようとする課題】
【０００４】
しかし、上述の介護用ベッドでは、患者の容体がさらに悪くなり、ベッドから起き上がれず、トイレや洗面所に行くことが困難な介護度の高い患者の場合には、その介護による介護者の疲労や患者の睡眠の妨げに繋がるという問題があった。
【０００５】
この考案は上記のような課題を解決するためになされたもので、洗髪などが容易にでき、介護を楽にすることができるように改良された介護用ベッドを提供することを目的とする。
【課題を解決するための手段】
【０００６】
本考案に係る介護用ベッドは、寝台となる底板と、上記底板の上に置かれたマットレスとを備える。上記底板とマットレスの、仰臥の姿勢で頭部を支える部分には、これらを貫通する第１の貫通穴が設けられている。上記第１の貫通穴に洗髪用洗い桶又は第１のビニール袋が設置されている。上記底板は網目上記であるのが好ましい。
【０００７】
この考案の好ましい実施態様によれば、上記底板とマットレスの、仰臥の姿勢で肛門を中心とする辺りに、これらを貫通する第２の貫通穴が設けられ、該第２の貫通穴に便保留用桶又は第２のビニール袋が設置されている。
【０００８】
さらにこの考案の好ましい実施態様によれば、上記底板とマットレスの、仰臥の姿勢で足元の辺りに、これらを貫通する第３の貫通穴が設けられ、該第３の貫通穴の下には湯を張るための桶が設けられている。
【０００９】
上記第１の貫通穴が形成されるマットレスは、ブロック状の第１のマットレスブロックで形成され、上記第１のビニール袋は、その袋本体部分が上記第１の貫通穴に嵌め込まれた状態で、その開口部のフィルム部分が上記第１のマットレスブロックを包むように外方向に、該第１のマットレスブロックの側壁まで延び、さらに延びてその底面にまで回りこんでおり、かつ輪ゴムで該第１のマットレスブロックに固定されているのが好ましい。
【００１０】
上記第２の貫通穴が形成されるマットレスは、ブロック状の第２のマットレスブロックで形成され、上記第２のビニール袋は、その袋本体部分が上記第２の貫通穴に嵌め込まれた状態で、その開口部のフィルム部分が上記第２のマットレスブロックを包むように外方向に、該第２のマットレスブロックの側壁まで延び、さらに延びてその底面にまで回りこんでおり、かつ輪ゴムで該第２のマットレスブロックに固定されているのが好ましい。
【００１１】
さらに好ましい実施態様によれば、上記第２のマットレスブロックの上方に、患者の身体に付着した汚物を洗浄除去するための温水洗浄器が設けられている。
【００１２】
さらに好ましくは、洗浄後の患者の身体を温風で乾燥させる温風乾燥機を備える。
【００１３】
さらに好ましい実施態様によれば、上記マットレス又は上記マットレスブロックは天然ゴム発泡体で形成されており、該天然ゴム発泡体は、表面から裏面にかけて泡と泡とが連続的にくっついている連立発泡構造を有する。
【考案の効果】
【００１４】
本考案にかかる介護用ベッドによれば、上記底板とマットレスの、仰臥の姿勢で頭部を支える部分には、これらを貫通する第１の貫通穴が設けられ、該第１の貫通穴に洗髪用洗い桶又は第１のビニール袋が設置されているので、患者が起き上がれなくても、寝たままで洗髪を行うことができる。
【考案を実施するための最良の形態】
【００１５】
寝たままで洗髪を行うという目的を、底板とマットレスの、仰臥の姿勢で頭部を支える部分に、これらを貫通する第１の貫通穴を設け、該第１の貫通穴に洗髪用洗い桶又は第１のビニール袋を設置するということによって実現した。以下、この考案の実施例を、図を用いて説明する。なお、以下の図において、同一部分には同一の参照番号を付す。
【実施例１】
【００１６】
図１は、実施例１にかかる介護用ベッドの平面図である。図２は、図１におけるＩＩ−ＩＩ線に沿う断面図である。
【００１７】
これらの図を参照して、介護用ベッドは、ヘッドボード５ａとフットボード５ｂと脚６を有する。ヘッドボード５ａとフットボード５ｂ間を橋渡すように、寝台となる網目状の底板７が設けられ、ベッドの底部を形成している。底板７の上に、例えば天然ゴム発泡体で形成された複数のマットレスブロック８ａ，８ｂ，８ｃ，８ｄ，８ｅが、ベッドの長手方向に互いに隙間を隔てて配置されている。マットレスブロック８ａ，８ｂ，８ｃ，８ｄ，８ｅは天然ゴム発泡体で形成されているので、体圧分散能力に優れており、長時間体位交換をしなくても、褥瘡予防を可能とする。また隙間を設けることにより、褥瘡部位を避けて患者を寝かせることができる。
【００１８】
底板７とマットレスブロック８ａの、仰臥の姿勢で頭部を支える部分には、これらを貫通する第１の貫通穴９が設けられ、該第１の貫通穴９に洗髪用洗い桶１０が嵌め込まれている。
【００１９】
底板７とマットレスブロック８ｃの、仰臥の姿勢で肛門を中心とする辺りに、これらを貫通する第２の貫通穴１１が設けられ、該第２の貫通穴１１の下に便保留用桶１２（後述するビニール袋でもよい）が設けられている。底板７とマットレスブロック８ｄの、仰臥の姿勢で足元の辺りに、これらを貫通する第３の貫通穴１３が設けられている。第３の貫通穴１３の下には湯を張るための桶１４が設けられている。
【００２０】
本実施例によれば、図２を参照して、患者の容態が悪くなり、ベッドから起き上がれず、洗面所に行くことが困難な介護度の高い患者の場合でも、寝たままの状態で洗髪ができ、介護者の負担が軽減される。
【００２１】
また、図２を参照して、仰臥の姿勢で肛門を中心とする辺りに、これらを貫通する第２の貫通穴１１が設けられ、該第２の貫通穴１１の下に便保留用桶１２が設けられているので、患者は寝たままの姿勢で排泄できる。通常寝たきりの患者の場合、オムツの中に排泄しなければならないが、本実施例の場合は、不快なオムツを取り外して気持ちよく用が足せる。また、患者が起き上がれば洋式便器で足を伸ばした尻餅の姿勢になるが、自力排便の姿勢ができる。また、排泄後は尿や便で汚れた肛門周辺に部分シャワー浴をすることができるようにしてもよい。
【００２２】
さらに、図３を参照して、ベッド上の患者は運動の不足で足が冷えるが、仰臥の姿勢で足元の辺りである第３の貫通穴１３の下には湯を張るための桶１４が設けられているので、足浴ができ、患者の血行を促進する。煩わしい移動を無くしてベッド上で足浴ができる。
【００２３】
なお、洗髪後、便器使用後、及び足浴後は、必要に応じて、第１，２，３の貫通穴９，１１，１３は、必要に応じて、別に用意したマットレスブロックで閉じるようにしてもよい。
【実施例２】
【００２４】
上記実施例では、第１の貫通穴に洗髪用洗い桶を設ける場合を例示したが、この考案はこれに限られるものでない。図４は、桶の代わりに、ビニール袋が用いられている。その態様の、図１のＩＶ−ＩＶ線に沿う断面図である。第１のビニール袋１５は、その袋本体部分が第１の貫通穴９に嵌め込まれた状態で、その開口部のフィルム部分が第１のマットレスブロック８ａを包むように外方向に、該第１のマットレスブロック８ａの側壁まで延び、さらに延びて第１のマットレスブロック８ａの底面にまで回りこんでおり、かつ輪ゴム１６で該第１のマットレスブロック８ａに固定されている。袋本体部分の中には、形を形成するためのプラスチック板１７が配置されている。袋本体部分には排出管１８が取り付けられており、弁１９の開閉により、洗髪後の汚水を外部に排出できるようになっている。これによると、手軽に処理でき、介護費用が上がらない。
【００２５】
図５のように、袋だけの態様の場合は、洗髪後の水をビニール袋ごと廃棄できるので、さらに介護費用が安くなる。
【実施例３】
【００２６】
天然ゴム発泡体は紫外線が当たることにより、劣化しやすい傾向にあるため、紫外線をカットするフィルムでマットレスブロックを被覆するのが好ましい。この被覆はぴんぴんに張り詰めるように行うのではなく、マットレスと紫外線カットフィルムとの間に隙間ができるように余裕をもたせて被覆するのが好ましく、これにより、身体がマットレスに沈み込むのを妨げる。
【００２７】
また、天然ゴム発泡体中の孔を、表面から裏面にかけて泡と泡とがくっついている連立発泡構造にすると、図６に示すように空気の流れる通路ができ、通気性が良くなる結果、床ずれの原因となる水分（湿気）４１を取り除くことができる。
【００２８】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２９】
本考案は、洗髪、排便、排尿が容易となり介護労力が軽減される介護用ベッドを与える。また、褥瘡の危険度が高い患者の、褥瘡予防を行うことができる。
【図面の簡単な説明】
【００３０】
【図１】実施例１に係る介護用ベッドの平面図である。
【図２】図１におけるＩＩ−ＩＩ線に沿う断面図である。
【図３】実施例１に係る介護用ベッドの動作を説明する図である。
【図４】実施例２に係る介護用ベッドの要部の断面図である。
【図５】実施例２の変形例に係る介護用ベッドの要部の断面図である。
【図６】天然ゴム発泡体の連立発泡構造による利点を説明するための図である。
【図７】出願人が既に提案した介護用ベッドの、底板から上の部分の概念図である。
【符号の説明】
【００３１】
１ 底板
２ マットレス
３ 患者
５ａ      ヘッドボード
５ｂ      フットボード
６ 脚
７ 底板
８ａ，８ｂ，８ｃ，８ｄ，８ｅ   マットレスブロック
９ 第１の貫通穴
１０      洗髪用桶
１１      第２の貫通穴
１２      便保留用桶
１３      第３の貫通穴
１４      湯を張るための桶
１５      ビニール袋
１６      輪ゴム
１７      プラスチック板
１８      排出管
１９      弁
４１      水分
【図１】
0003139950.tif 000003
【図２】
0003139950.tif 000004
【図３】
0003139950.tif 000005
【図４】
0003139950.tif 000006
【図５】
0003139950.tif 000007
【図６】
0003139950.tif 000008
【図７】
0003139950.tif 000009